(57)【要約】【課題】サイホン排水管から合流継手の内部に排出される排水の勢いを低下させることが可能な配管構造を提供する。【解決手段】配管構造１０は、上下方向に沿って延びた立て管１４の中間部に接続される立て管接続本体部３０、及び立て管接続本体部３０の側部に設けられサイホン排水管２２の竪管２６から排出された排水を立て管接続本体部３０の内部に排出する開口部を備えた合流継手２８と、開口部から排出される排水の勢いを低下させる抵抗付与部材４８と、を有する。【選択図】図１
2020026633.tif 000002
【特許請求の範囲】
【請求項１】
上下方向に沿って延びた立て管の中間部に接続され内部が前記立て管に連通される立て管接続本体部、並びに前記立て管接続本体部の側部に設けられサイホン排水管の竪管から排出された排水を前記立て管接続本体部の前記内部に排出する開口部を備えた合流継手と、
前記開口部から排出される前記排水の勢いを低下させる抵抗付与部材と、
を有する配管構造。
【請求項２】
前記抵抗付与部材は、前記開口部から排出される前記排水を斜め下方に向けて排出させる、請求項１に記載の配管構造。
【請求項３】
前記抵抗付与部材は、前記立て管接続本体部の上下方向に沿った内周面から前記立て管接続本体部の内側に突出していない、請求項１または請求項２に記載の配管構造。
【請求項４】
前記抵抗付与部材は、斜め下方に傾斜した壁面を有する、請求項１〜請求項３の何れか１項に記載の配管構造。
【請求項５】
前記抵抗付与部材を含む排水方向下流側の開口部の開口面積は、前記竪管の排水方向下流側の開口面積よりも大である、請求項１〜請求項４の何れか１項に記載の配管構造。
【請求項６】
前記抵抗付与部材を除く前記開口部の開口面積は、前記竪管の排水方向下流側の開口面積よりも大である、請求項１〜請求項５の何れか１項に記載の配管構造。
【請求項７】
前記立て管接続本体部には、前記抵抗付与部材が設けられた前記開口部と、前記抵抗付与部材が設けられておらず前記サイホン排水管とは異なる排水配管から排出された排水を前記立て管接続本管部の内部に排出する他の開口部とが互いに水平方向に対向して設けられている、請求項１〜請求項６の何れか１項に記載の配管構造。
【請求項８】
請求項１〜請求項７の何れか１項に記載の配管構造を得る配管構造の製造方法であって、
前記開口部に前記竪管を接続する竪管接続工程と、
前記立て管接続本管部に設けられ前記開口部とは水平方向に対向する他の開口部に前記竪管とは異なる排水配管を接続する排水配管接続工程と、
前記竪管が接続される前記開口部に前記抵抗付与部材を取り付ける取付工程と、
を有する、配管構造の製造方法。
【発明の詳細な説明】
【技術分野】
【０００１】
本発明は、配管構造、及び配管構造の製造方法に関する。
【背景技術】
【０００２】
近年、特許文献１に記載されるように、水廻り器具にサイホン排水管を接続し、サイホン排水管の垂下部をなす竪管にて発生するサイホン力（負圧力）を利用して、水廻り器具からの排水効率を向上させるサイホン排水システムが提案されている
【０００３】
このサイホン排水システムにおいては、水廻り器具から排出された排水はサイホン排水管に流入し、サイホン排水管の水平部をなす横引き管及びサイホン排水管の垂下部をなす竪管を満たす。サイホン排水管の竪管が排水で満たされると、竪管内の排水は重力により落下し、横引き管の内部に竪管における水頭差に対応する吸引力、即ちサイホン力が発生する。横引き管内の排水は、前記サイホン力によって竪管に向かって吸引され、サイホン排水管内が排水で満たされる所謂満流となってサイホン排水管内を流下する。
【０００４】
複数階の集合住宅においては、各階の水廻り器具が立て管に接続されており、サイホン排水システムの竪管は、所謂合流継手を介して立て管に接続されている。また、勾配配管も、合流継手を介して立て管に接続されている。
【０００５】
サイホン排水管と勾配配管とを接続する合流継手は、上側の立て管の下端、及び下側の立て管の上端を接続する管状の本管部を備え、本管部の側部には、竪管からの排水を流入させる水平方向に突出する枝管としての管状の接続部と、勾配配管からの排水を流入させる接続部と対向して設けられている。
【先行技術文献】
【特許文献】
【０００６】
【特許文献１】特開２００６―２０７１９０号公報
【発明の概要】
【発明が解決しようとする課題】
【０００７】
サイホン排水管から排水される排水は、サイホン力を得て排水されるため、その勢い、言い換えれば、単位時間当たりの排水の速度は、勾配配管から排出される排水に比較して速い。
このため、サイホン排水管から排出された排水が接続部から排出されると、対向している勾配配管の接続されている接続部の中にサイホン排水管から排出された排水が流入する場合がある。
【０００８】
本発明は上記事実を考慮し、サイホン排水管から合流継手の内部に排出される排水の勢いを低下させることが可能な配管構造、及び配管構造の製造方法を提供することを目的とする。
【課題を解決するための手段】
【０００９】
請求項１に記載の配管構造は、上下方向に沿って延びた立て管の中間部に接続され内部が前記立て管に連通される立て管接続本体部、並びに前記立て管接続本体部の側部に設けられサイホン排水管の竪管から排出された排水を前記立て管接続本体部の前記内部に排出する開口部を備えた合流継手と、前記開口部から排出される前記排水の勢いを低下させる抵抗付与部材と、を有する。
【００１０】
請求項１に記載の配管構造では、サイホン排水管の竪管から排出された排水が、合流継手の立て管接続本体部の開口部から、合流継手の立て管接続本体部の内部に排出される。
サイホン排水管の竪管からは勢いよく排水が排出されるが、抵抗付与部材は、開口部から排出される排水の勢いを低下させるので、該排水が、合流継手に設けられた他の開口部に流入し難くなる。
【００１１】
請求項２に記載の発明は、請求項１に記載の配管構造において、前記抵抗付与部材は、前記開口部から排出される前記排水を斜め下方に向けて排出させる。
【００１２】
請求項２に記載の配管構造では、抵抗付与部材は、開口部から排出される排水を斜め下方に向けて排出させる。したがって、サイホン排水管からの排水を排出する開口部に対向して他の開口部が立て管接続本体部に設けられている場合、他の開口部にサイホン排水管からの排水が流入し難くなる。
【００１３】
請求項３に記載の発明は、請求項１または請求項２に記載の配管構造において、前記抵抗付与部材は、前記立て管接続本体部の上下方向に沿った内周面から前記立て管接続本体部の内側に突出していない。
【００１４】
請求項３に記載の配管構造では、抵抗付与部材が立て管接続本体部の上下方向に沿った内側に突出していないので、上方から立て管接続本体部の内部を落下する排水を、抵抗付与部材に接触させることなくスムーズに下方へ流すことができる。
【００１５】
請求項４に記載の配管構造は、請求項１〜請求項３の何れか１項に記載の配管構造において、前記抵抗付与部材は、斜め下方に傾斜した壁面を有する。
【００１６】
請求項４に記載の配管構造では、抵抗付与部材は、斜め下方に傾斜した壁面を有しているので、排水を、斜め下方に傾斜した壁面に当てて、排出の向きを斜め下方に変更することができる。
【００１７】
請求項５に記載の発明は、請求項１〜請求項４の何れか１項に記載の配管構造において、前記抵抗付与部材を含む排水方向下流側の開口部の開口面積は、前記竪管の排水方向下流側の開口面積よりも大である。
【００１８】
請求項５に記載の配管構造では、抵抗付与部材を含む排水方向下流側の開口部の開口面積が、竪管の排水方向下流側の開口面積よりも大であるため、抵抗付与部材を含む排水方向下流側の開口部の開口面積が、竪管の排水方向下流側の開口面積と同じ場合、及び抵抗付与部材を含む排水方向下流側の開口部の開口面積が、竪管の排水方向下流側の開口面積よりも小の場合に比較して、スムーズに排水を排出することができる。
【００１９】
請求項６に記載の発明は、請求項１〜請求項５の何れか１項に記載の配管構造において、前記抵抗付与部材を除く前記開口部の開口面積は、前記竪管の排水方向下流側の開口面積よりも大である。
【００２０】
請求項６に記載の配管構造では、抵抗付与部材を除く開口部の開口面積は、竪管の排水方向下流側の開口面積よりも大であるため、抵抗付与部材を除く開口部の開口面積が竪管の排水方向下流側の開口面積と同じ場合、及び抵抗付与部材を除く開口部の開口面積が竪管の排水方向下流側の開口面積よりも小の場合に比較して、スムーズに排水を流すことができる。
【００２１】
請求項７に記載の発明は、請求項１〜請求項６の何れか１項に記載の配管構造において、前記立て管接続本体部には、前記抵抗付与部材が設けられた前記開口部と、前記抵抗付与部材が設けられておらず前記サイホン排水管とは異なる排水配管から排出された排水を前記立て管接続本管部の内部に排出する他の開口部とが互いに水平方向に対向して設けられている。
【００２２】
請求項７に記載の配管構造では、立て管接続本体部の開口部から抵抗付与部材で勢いの低下させられた排水が排出されるため、該排水が他の開口部に流入し難くなる。
したがって、サイホン排水管からの排水が排出される開口部に対して、他の排水配管が接続される他の開口部を配置する位置に制限が無くなり、配管敷設の自由度を増やすことができる。
【００２３】
請求項８に記載の発明は、請求項１〜請求項７の何れか１項に記載の配管構造を得る配管構造の製造方法であって、前記開口部に前記竪管を接続する竪管接続工程と、前記立て管接続本管部に設けられ前記開口部とは水平方向に対向する他の開口部に前記竪管とは異なる排水配管を接続する排水配管接続工程と、前記竪管が接続される前記開口部に前記抵抗付与部材を取り付ける取付工程と、を有する。
【００２４】
請求項８に記載の配管構造の製造方法では、竪管接続工程において、開口部に竪管が接続される。これにより、竪管から排出される排水を、開口部を介して立て管接続本体部の内部に排出することできる。
排水管接続工程では、立て管接続本管部に設けられ開口部とは水平方向に対向する他の開口部に竪管とは異なる排水配管が接続される。これにより、排水配管から排出される排水を、他の開口部を介して立て管接続本体部の内部に排出することできる。
取付工程では、竪管が接続される開口部に抵抗付与部材が取り付けられる。これにより、開口部から排出される排水の勢いを低下させることができる。
したがって、サイホン排水管からの排水が排出される開口部に対して、他の排水配管が接続される他の開口部を配置する位置に制限が無くなり、配管敷設の自由度を増やすことができる。
なお、竪管接続工程、排水管接続工程、及び取付工程は、どの工程から行なってもよい。
【発明の効果】
【００２５】
以上説明したように本発明の配管構造は、サイホン排水管から合流継手の内部に排出される排水の勢いを低下させることができる、という優れた効果を有する。
また、本発明の配管構造の製造方法は、サイホン排水管から合流継手の内部に排出される排水の勢いを低下させることができる配管構造を製造できる、という優れた効果を有する。
【図面の簡単な説明】
【００２６】
【図１】本発明の第１の実施形態に係る配管構造が適用された集合住宅を示す断面図である。
【図２】第１の実施形態に係る配管構造の合流配管を示す合流配管の一部を断面とした側面図である。
【図３】第１の実施形態に係る配管構造の合流配管を示す接続部の軸線に沿った水方向断面図である。
【図４】第１の実施形態に係る配管構造の合流配管の接続部の軸線に直角な断面図（図２の４−４線断面図）である。
【図５】（Ａ）は抵抗付与部材を示す下方から見上げた斜視図であり、（Ｂ）は抵抗付与部材を示す側面図であり、（Ｃ）は抵抗付与部材を示す正面図であり、（Ｄ）は抵抗付与部材を示す下面図である。
【発明を実施するための形態】
【００２７】
図１〜図５を用いて、本発明の一実施形態に係る配管構造１０を集合住宅に用いた例について説明する。
【００２８】
配管構造１０は、排水を下方へ流す立て管１４を備えている。この立て管１４は、集合住宅の上下方向に延設され、集合住宅の各階のスラブ１６を貫通している。集合住宅の各階の各戸には、排水がなされる第１の水廻り器具の一例としての台所流し１８が設けられている。
【００２９】
台所流し１８には、封水を貯留したトラップ２０を介してサイホン排水管２２が接続されている。サイホン排水管２２は、スラブ１６の上に配置される横引き管２４と、この横引き管２４と連通する竪管２６とを含んで構成されている。竪管２６は、排水を落下させることによりサイホン力を発生させて排水を誘導するものである。竪管２６は、立て管１４に沿って、上下方向に配設されている。竪管２６から排出された排水は、後述する合流継手２８に流入する。
【００３０】
（合流継手の構成）
図２、及び図３に示すように、合流継手２８は、上下方向に延びる円筒状の立て管接続本管部３０を備えており、立て管接続本管部３０の側部には、水平方向に延びる円筒状の接続部３２Ａ、３２Ｂが一体的に設けられている。なお、立て管接続本管部３０と接続部３２Ａ、３２Ｂとで、合流継手本体が構成されてる。
【００３１】
本実施形態の合流継手２８では、一方の接続部３２Ａと他方の接続部３２Ｂとが互いに対向しており、一方の接続部３２Ａと他方の接続部３２Ｂとは同軸上に設けられている。なお、本実施形態では、一例として一方の接続部３２Ａと他方の接続部３２Ｂとは同一形状、同一寸法であるが、一方の接続部３２Ａと他方の接続部３２Ｂとは同一形状、同一寸法でない場合もある。なお、他方の接続部３２Ｂの開口部は、本発明の他の開口部の一例である。
【００３２】
合流継手２８には、立て管接続本管部３０の内面に、立て管１４内を下方に流れる排水を、旋回させて渦を形成するためのフィン３５が形成されている。
【００３３】
図１に示すように、本実施形態の合流継手２８では、一方の接続部３２Ａに排水継手１２が接続されており、他方の接続部３２Ｂに排水配管の一例としての勾配配管４０が接続されている。
【００３４】
勾配配管４０の上流側には、第２の水廻り器具の一例としてのトイレ４２が設けられており、トイレ４２からの排水が、勾配配管４０の排水方向下流側の端部から合流継手２８の立て管接続本管部３０の内部に排出される。なお、第２の水廻り器具は、排水を排出する器具であればトイレ以外のもの、例えば、洗面台、洗濯機、ユニットバス等の風呂等を挙げることができるが、他のものであっても良い。
【００３５】
本実施形態の合流継手２８は、図２、及び図３に示す排水継手１２を含んで構成されている。排水継手１２は、接続部３２Ａに接続される本体部３４を備えている。本体部３４は、円筒状に形成されて接続部３２に挿入される挿入部３６Ａと、挿入部３６Ａの一端側を閉止する半球ドーム状の露出部３６Ｂとを含んで構成されている。
挿入部３６Ａ、及び露出部３６Ｂは、共に厚さが一定に形成されており、露出部３６の内面は半球状曲面となっている。なお、挿入部３６Ａの内部空間は、排水通路３７とされている。
【００３６】
図２〜図４に示すように、露出部３６の上部には、本体部３４の軸心３４Ｃに対して図面矢印Ａ方向側にオフセットした位置（寸法ＯＬだけ軸心３４Ｃから外れた位置）に、上方に延びて本体部３４と連通する円筒状の竪管接続部３８が形成されている。竪管接続部３８には、竪管２６が挿入される。
【００３７】
本実施形態では、本体部３４の軸心３４Ｃと竪管接続部３８の軸心３８Ｃとが水平方向にオフセットしており、本体部３４の軸心３４Ｃと竪管接続部３８の軸心３８Ｃとが直角になっている。
【００３８】
図４に示すように、竪管接続部３８の孔３８Ａは、露出部３６の内面において、本体部３４の軸心３４Ｃの図面矢印Ａ方向側斜め上方に開口している。なお、挿入部３６Ａの内径は、竪管接続部３８の孔３８Ａよりも大径に形成されている。
【００３９】
また、竪管接続部３８の孔３８Ａの内径は、竪管２６の内径と同一内径である。したがって、竪管接続部３８の孔３８Ａの軸線方向に直角な断面積は、竪管２６の排水方向下流側の開口部の開口面積と同一である。
【００４０】
挿入部３６Ａの内径は、竪管接続部３８の孔３８Ａの内径よりも大である。したがって、挿入部３６Ａの軸線に直角な流路断面積（挿入部３６Ａの立て管１４側の開口部の開口面積と同一）は、竪管接続部３８の孔３８Ａの軸線方向に直角な断面積（＝竪管２６の排水方向下流側の開口部の開口面積）よりも大である。
【００４１】
（抵抗付与部材）
図２、及び図３に示すように、接続部３２Ａには、排水継手１２よりも奥側、言い換えれば、立て管接続本管部３０側に、合流継手２８の一部を構成する抵抗付与部材４４が挿入されている。
【００４２】
図２、図３、及び図５（Ａ）〜（Ｄ）に示すように、抵抗付与部材４４は、接続部３２に挿入される円筒状の本体部４６と、本体部４６の立て管１４側の開口の上側を覆う湾曲した庇状の抵抗付与部４８が設けられている。言い換えれば、抵抗付与部４８は、ドーム形状を半分にした形状、または１／４球殻形状に類似した形状を呈している。なお、図５（Ｄ）において示す２点鎖線４５は、本体部４６と抵抗付与部４８との仮想の境界線（実際には見えない）を示している。
【００４３】
図５（Ｃ）に示すように、抵抗付与部材４４を本体部４６の軸線方向に沿って立て管１４側から正面視したときに、抵抗付与部４８は、本体部４６の軸線４６Ｃから上方に形成されており、本体部４６の排水方向下流側の開口の上半分を覆っている。
図２に示すように、抵抗付与部４８の内面は、斜め下方に傾斜した壁面を有している。
【００４４】
なお、抵抗付与部材４４の排水方向下流側の開口部の開口面積は、竪管接続部３８の孔３８Ａの軸線方向に直角な断面積（＝竪管２６の排水方向下流側の開口部の開口面積）よりも大である。
【００４５】
図２、及び図３に示すように、抵抗付与部材４４は、立て管接続本管部３０の内周面３０Ａから立て管接続本管部３０の内側へ突出させないことが好ましい。なお、立て管接続本管部３０の内側へ抵抗付与部材４４を突出させると、立て管接続本管部３０の内部、及び立て管１４の内部を落下する排水の妨げ（抵抗）になる場合がある。
【００４６】
（作用、効果）
次に、本実施形態の配管構造１０の作用、効果を説明する。
台所流し１８からの排水が、横引き管２４を介して竪管２６に流れ込み、満流となった排水が竪管内を重力により落下すると、サイホン力が発生する。サイホン力が発生すると、台所流し１８から排出された排水は竪管２６に向かって吸引され、排水が満流流れとなって流下し、迅速かつ効率的に排水が行われる。
【００４７】
サイホン排水管２２は、サイホン力を用いて排水を行うので、従来一般の勾配配管に比較して、単位時間当たりの流量を大きくすることができる。そのため、立て管１４に排出される排水の速度は、勾配配管に比較して大きくなる。
【００４８】
抵抗付与部材４４が設けられていない場合、立て管接続本管部３０の内部に排出される排水の勢いが、抵抗付与部材４４を設けた場合に比較して強く、かつ、排水継手１２から排出される排水が勾配配管４０の正面側に向けて排出されるので、該排水が、勾配配管４０の内部に進入して勾配配管４０の内部を排水が逆流する場合がある。
【００４９】
一方、本実施例の配管構造１０では、排水継手１２から排出された排水の一部、即ち、排水継手１２の内部の上側を流れる排水が抵抗付与部４８に当たって斜め下方に向けて流れ、排水継手１２の内部の下側を流れる排水に当たり、抵抗付与部材４４の開口部から排出される排水全体が斜め下方（図２の矢印Ａ方向）に向けて排出されると共に、開口部から排出される排水の勢いが低下する（抵抗付与部４８が無い場合対比で）。そのため、サイホン排水管２２からの排水が、反対側の勾配配管４０の内部に進入することが抑制される。
【００５０】
なお、本実施形態の配管構造１０を製造する製造方法としては、一例として、以下の工程がある。
（ａ）合流継手２８の接続部３２Ａに抵抗付与部材４４を挿入（接続）する工程（本発明の取付工程の一例）。
（ｂ）合流継手２８の接続部３２Ａに排水継手１２を挿入（接続）する工程。
（ｃ）排水継手１２の竪管接続部３８に竪管２６を挿入（接続）する工程（本発明の竪管接続工程の一例）。
（ｄ）合流継手２８の接続部３２Ａに勾配配管４０を挿入（接続）する工程（本発明の排水配管接続工程の一例）。
上記のように（１）から（４）の順番に行なう製造方法を製造方法Ａとすると、工程の順番が異なる以下に説明する製造方法Ｂ〜Ｇもある。
【００５１】
（製造方法Ｂ）
工程を以下の順で行なう。
（ａ）合流継手２８の接続部３２Ａに抵抗付与部材４４を挿入（接続）する工程（本発明の取付工程の一例）。
（ｂ）合流継手２８の接続部３２Ａに排水継手１２を挿入（接続）する工程。
（ｄ）合流継手２８の接続部３２Ａに勾配配管４０を挿入（接続）する工程（本発明の排水配管接続工程の一例）。
（ｃ）排水継手１２の竪管接続部３８に竪管２６を挿入（接続）する工程（本発明の竪管接続工程の一例）。
【００５２】
（製造方法Ｃ）
工程を以下の順で行なう。
（ａ）合流継手２８の接続部３２Ａに抵抗付与部材４４を挿入（接続）する工程（本発明の取付工程の一例）。
（ｂ）合流継手２８の接続部３２Ａに排水継手１２を挿入（接続）する工程。
（ｃ）排水継手１２の竪管接続部３８に竪管２６を挿入（接続）する工程（本発明の竪管接続工程の一例）。
（ｄ）合流継手２８の接続部３２Ａに勾配配管４０を挿入（接続）する工程（本発明の排水配管接続工程の一例）。
【００５３】
（製造方法Ｄ）
工程を以下の順で行なう。
（ｄ）合流継手２８の接続部３２Ａに勾配配管４０を挿入（接続）する工程（本発明の排水配管接続工程の一例）。
（ｃ）排水継手１２の竪管接続部３８に竪管２６を挿入（接続）する工程（本発明の竪管接続工程の一例）。
（ａ）合流継手２８の接続部３２Ａに抵抗付与部材４４を挿入（接続）する工程（本発明の取付工程の一例）。
（ｂ）合流継手２８の接続部３２Ａに排水継手１２を挿入（接続）する工程。
【００５４】
（製造方法Ｅ）
工程を以下の順で行なう。
（ｄ）合流継手２８の接続部３２Ａに勾配配管４０を挿入（接続）する工程（本発明の排水配管接続工程の一例）。
（ａ）合流継手２８の接続部３２Ａに抵抗付与部材４４を挿入（接続）する工程（本発明の取付工程の一例）。
（ｂ）合流継手２８の接続部３２Ａに排水継手１２を挿入（接続）する工程。
（ｃ）排水継手１２の竪管接続部３８に竪管２６を挿入（接続）する工程（本発明の竪管接続工程の一例）。
【００５５】
（製造方法Ｆ）
工程を以下の順で行なう。
（ｃ）排水継手１２の竪管接続部３８に竪管２６を挿入（接続）する工程（本発明の竪管接続工程の一例）。
（ａ）合流継手２８の接続部３２Ａに抵抗付与部材４４を挿入（接続）する工程（本発明の取付工程の一例）。
（ｂ）合流継手２８の接続部３２Ａに排水継手１２を挿入（接続）する工程。
（ｄ）合流継手２８の接続部３２Ａに勾配配管４０を挿入（接続）する工程（本発明の排水配管接続工程の一例）。
【００５６】
（製造方法Ｇ）
工程を以下の順で行なう。
（ｃ）排水継手１２の竪管接続部３８に竪管２６を挿入（接続）する工程（本発明の竪管接続工程の一例）。
（ｄ）合流継手２８の接続部３２Ａに勾配配管４０を挿入（接続）する工程（本発明の排水配管接続工程の一例）。
（ａ）合流継手２８の接続部３２Ａに抵抗付与部材４４を挿入（接続）する工程（本発明の取付工程の一例）。
（ｂ）合流継手２８の接続部３２Ａに排水継手１２を挿入（接続）する工程。
なお、（ａ）〜（ｄ）の工程は、少なくとも工程（ａ）の後に工程（ｂ）があればよく、その他の構成の順番は、適宜入れ替えて行なうことができる。
【００５７】
［その他の実施形態］
以上、本発明の一実施形態について説明したが、本発明は、上記に限定されるものでなく、上記以外にも、その主旨を逸脱しない範囲内において種々変形して実施可能であることは勿論である。
【００５８】
上記実施形態では、排水継手１２と抵抗付与部材４４とが別体であったが、本発明はこれに限らず、抵抗付与部材４４は、排水継手１２とは一体的に形成されていてもよく、合流継手２８に一体的に形成されていてもよい。
【００５９】
上記実施形態では、抵抗付与部材４４の抵抗付与部４８がドーム形状を半分にした形状であったが、排水が当たって抵抗となり、排出される排水の向きを変更できるのであれば、ドーム形状を半分にした形状以外の形状であってもよい。抵抗付与部４８は、排水の排出される向きを斜め下方等、反対側の勾配配管４０とは異なる方向に向ければよく、少なくとも一部に、斜め下方に傾斜した傾斜面があればよい。
【００６０】
上記実施形態の合流継手２８では、管接続本管部３０の側部に円筒状の接続部が２個設けられていたが、接続部は３個以上設けられていてもよく、管接続本管部３０の側部に設ける接続部の位置は特に限定されない。この場合、サイホン排水管２２からの排水が排出される開口部に抵抗付与部材４４を設ければよい。
【００６１】
上記実施形態では、抵抗付与部材４４の抵抗付与部４８により、排水の排出される向きを斜め下方に向けていたが、他の開口部とは異なる方向に向けて排水が排出されればよい。
【符号の説明】
【００６２】
１０…配管構造、１２…排水継手（合流継手）、１４…立て管、２２…サイホン排水管、２６…竪管、２８…合流継手、３０…立て管接続本体部、４０…勾配配管（排水配管）、４４…抵抗付与部材（合流継手）、４８…抵抗付与部（斜め下方に傾斜した壁面）
【図１】
2020026633.tif 000003
【図２】
2020026633.tif 000004
【図３】
2020026633.tif 000005
【図４】
2020026633.tif 000006
【図５】
2020026633.tif 000007